(57)【要約】【課題】送風運転のみの内部乾燥運転時の際にも、蒸発器の下端部に付着する結露水滴をスムーズに水受皿部に落下させることを目的とする。【解決手段】本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成され、残水案内手段として前記包囲壁内の前記水受皿部から上方に伸びた複数の板形状の突起部を有し、この突起部の先端が蒸発器の下端に接触する一体型空気調和機。【選択図】図３
2014122716.tif 000002
【特許請求の範囲】
【請求項１】
本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成され、残水案内手段として前記包囲壁内の前記水受皿部から上方に伸びた複数の板形状の突起部を有し、この突起部の先端が蒸発器の下端に接触する一体型空気調和機。
【請求項２】
前記突起部の先端の端部には、２つの端部が下方に傾斜した傾斜端部を有する請求項１に記載の一体型空気調和機。
【請求項３】
前記突起部の先端の少なくとも一部は、前記包囲壁の上端より上方に設けられる請求項１または２に記載の一体型空気調和機。
【請求項４】
前記突起部の先端の少なくとも一部は、前記蒸発器の下端より上方に設けられる請求項１〜３のいずれかに記載の一体型空気調和機。
【請求項５】
前記蒸発器は、鉛直方向に伸びた複数の板形状のフィンを有し、前記突起部の先端の端部と、前記蒸発器の前記フィンの下端の端部とは、水平面において所定の角度を有することを特徴とする請求項４に記載の一体型空気調和機。
【請求項６】
前記突起部は前記包囲壁から前記包囲壁内を流れる空気の送風方向の風下側へ傾斜して伸びていることを特徴とする請求項１〜５のいずれかに記載の一体型空気調和機。
【請求項７】
前記水受皿部の底面は、傾斜面を有し、この傾斜面の上部から下部へ向かう方向と、前記包囲壁内を流れる空気の送風方向とが同じであることを特徴とする請求項１〜６のいずれかに記載の一体型空気調和機。
【請求項８】
前記突起部の先端の端部には、親水性手段を設けたことを特徴とする請求項１〜７のいずれかに記載の一体型空気調和機。
【発明の詳細な説明】
【技術分野】
【０００１】
本発明は、除湿機等の一体型空気調和機の結露水処理構造に関するものである。
【背景技術】
【０００２】
従来、この種の一体型空気調和機は、本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成されている（例えば、特許文献１参照）。
【先行技術文献】
【特許文献】
【０００３】
【特許文献１】特許第５０３４５１２号公報
【発明の概要】
【発明が解決しようとする課題】
【０００４】
一体型空気調和機では、除湿運転時に、蒸発器の表面に付着する結露水滴が、重力作用により蒸発器の下端部に集り、表面張力によって蒸発器の下端部に付着する。この状態で、更に、蒸発器の表面に結露した新たな結露水が、水滴となって蒸発器の下部へ流れる。この新たな結露水の水滴が、すでに下端に付着していた水滴と結合し、表面張力の均衡がくずれ、結合した水滴の一部は、蒸発器から滴下するが、結合した水滴の一部は、下端に付着した状態となる。
【０００５】
ここで、蒸発器の下端に付着した水滴を乾燥させるために、除湿運転後に送風運転のみの内部乾燥運転を行う場合があるが、送風だけでは蒸発器の下端部に表面張力の作用によって付着した結露水滴は、水受皿部に落下させ難いという課題があった。
【０００６】
そこで本発明は、上記従来の課題を解決するものであり、除湿運転後に行う送風運転のみの内部乾燥運転時の際に、蒸発器の下端部に付着する結露水滴を効率良く落下させることができ、蒸発器の下端部を乾燥状態にする一体型空気調和機を提供することを目的とする。
【課題を解決するための手段】
【０００７】
本発明の一体型空気調和機は、上記目的を達成するために、本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成され、残水案内手段として前記包囲壁内の前記水受皿部から上方に伸びた複数の板形状の突起部を有し、この突起部の先端が蒸発器の下端に接触するものであり、この手段により初期の目的を達成するものである。
【発明の効果】
【０００８】
本発明によれば、本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成され、残水案内手段として前記包囲壁内の前記水受皿部から上方に伸びた複数の板形状の突起部を有し、この突起部の先端が蒸発器の下端に接触するものである。
【０００９】
これにより、突起部の先端が蒸発器の下端に接触するので、蒸発器の下端部に付着している結露水滴の表面張力の均衡を破り、送風運転のみの内部乾燥運転時の際にも、蒸発器の下端部に付着する結露水滴を効率良く水受皿部に落下させることで蒸発器の下端部を乾燥状態にする一体型空気調和機を提供できる。
【図面の簡単な説明】
【００１０】
【図１】本発明の実施形態１の一体型空気調和機の概略側断面図
【図２】同、蒸発器と凝縮器の水受皿部への取付け状態を示す要部斜視図
【図３】同、水受皿部の斜視図
【図４】同、蒸発器と残水案内手段の関係を示す概略断面図
【図５】同、残水案内手段と端部通風部と支えリブおよび水受けリブの関係を示す要部拡大図
【図６】同、残水案内手段と中央通風部および予備結露排水口の関係を示す要部拡大図
【発明を実施するための形態】
【００１１】
（実施の形態１）
以下本発明の一実施形態について添付図面を用いて説明する。
【００１２】
図１〜図４に示すように、本体３の側面に吸込口１を設け、天面に吹出口２を設け、本体３内を上下に分断するように支持具９を水平に配置している。
【００１３】
支持具９には圧縮機４、蒸発器５、凝縮器６、キャピラリーチューブ７からなる冷凍サイクルと、蒸発器５と凝縮器６の間に通風するための送風機８が載置され、分離して配置された蒸発器５と凝縮器６はキャピラリーチューブ７により連結されている。
【００１４】
支持具９には蒸発器５の下部に配置される水受皿部１０を一体に形成し、水受皿部１０には蒸発器５の下端辺に沿うように結露水案内手段として包囲する包囲壁１３を立設している。
【００１５】
包囲壁１３は、蒸発器５の左右側面に配した一対の支えリブ１１ａ、支えリブ１１ｂと、蒸発器５の前面側と背面側の下方端部に近接して立設する一対の水受けリブ１２ａ、１２ｂとで形成されている。
【００１６】
支えリブ１１ａ、支えリブ１１ｂは蒸発器５の両側面に突き出た銅管部５ａを保持することにより、水受皿部１０の上部に浮かせた状態で蒸発器５を垂直状態に支持するものである。
【００１７】
本体３における前方側の水受けリブ１２ａの両端部分の２ヶ所を１０ｍｍほどカットして、支えリブ１１ａ、支えリブ１１ｂとの間に端部通風部１２ｃを形成するとともに、水受けリブ１２ａ、１２ｂの中央部分を１５ｍｍ〜２０ｍｍカットして中央通風部１２ｄを形成している。
【００１８】
水受皿部１０の底面は中央通風部１２ｄ側に傾斜する傾斜面１９ａ、傾斜面１９ｂを形成し、後方の水受けリブ１２ｂの中央通風部１２ｄの底面に結露排水口１６を設けるとともに、予備結露排水口１７を結露排水口１６の近傍に、かつ中央通風部１２ｄ内に立設している。ここで、送風機８によって、蒸発器５に送風されると、風上側に位置する水受けリブ１２ａ側の端部通風部１２ｃと中央通風部１２ｄから空気が包囲壁１３内に入り、風下側に位置する水受けリブ１２ｂ側の中央通風部１２ｄから空気が包囲壁１３外へ出るものである。すなわち、包囲壁１３内の空気は、端部通風部１２ｃである両端から中央通風部１２ｄである中央部へ流れる。
【００１９】
蒸発器５は、鉛直方向に伸びた複数の縦長四角板形状のフィン部５ｂを有し、これらのフィン部５ｂには、複数の孔を備えている。この孔には、円筒形の銅管部５ａが嵌り、複数のフィン部５ｂが、所定の距離を有して平行に配置されている。つまりフィン部５ｂの面が対向して並んでいる。送風機８によって、本体３の吸込口１から吸い込まれた空気は、蒸発器５のフィン部５ｂの面に対して平行、つまりフィン部５ｂの面と面との間をフィン部５ｂの面に沿うように送風される。
【００２０】
本実施形態の一体型空気調和機は、通常運転と内部乾燥運転とを備えている。通常運転では、冷凍サイクルと送風機８を運転させるので、蒸発器５では、送風機８によって送風された空気がフィン部５ｂの面で冷やされ、蒸発器５のフィン部５ｂで常に結露が発生する。このフィン部５ｂに結露した結露水は水滴となり、フィン部５ｂを伝って、フィン部５ｂの下端に付着する。この状態で、更に、フィン部５ｂに結露した新たな結露水が、水滴となってフィン部５ｂを伝って、フィン部５ｂの下部へ流れる。この新たな結露水の水滴が、すでに下端に溜まっていた水滴と結合し、結合した水滴の一部は、フィン部５ｂから滴下するが、結合した水滴の一部は、下端に付着した状態となる。
【００２１】
一方、内部乾燥運転では、通常運転後に、冷凍サイクルを停止させ、送風機８のみを運転させる。冷凍サイクルを動作させないので、蒸発器５の下端部に付着している結露水滴の表面張力は均衡を保ち、結露水案内手段（包囲壁１３）と通過風１８だけでは蒸発器５の下端部に付着している結露水滴を水受皿部１０にスムーズに落下させ難いものであった。
【００２２】
この水滴を滴下させるために、残水案内手段として包囲壁１３内の水受皿部１０から上方に伸びた複数の板形状の突起部１４を有し、この突起部１４の先端が蒸発器５の下端に接触するものである。具体的には、水受けリブ１２ｂの内面に複数の板形状の突起部１４を設け、この突起部１４の先端が、蒸発器５のフィン部５ｂの下端に接触する。
【００２３】
これにより、蒸発器５のフィン部５ｂの下端部に付着している結露水滴の表面張力の均衡を破り、送風運転のみの内部乾燥運転時の際にも、蒸発器５のフィン部５ｂの下端部に付着する結露水滴を効率良く水受皿部１０に落下させる残水案内手段を備えることで蒸発器５のフィン部５ｂの下端部を乾燥状態にすることができる。
【００２４】
また、突起部１４の先端の端部には、２つの端部が下方に傾斜した傾斜端部１５ａ、傾斜端部１５ｂを有する。具体的には、突起部１４の先端は、三角形状で、この三角形状の角部が、蒸発器５のフィン部５ｂの下端に接触する。これにより、蒸発器５の下端部に付着している結露水滴の表面張力の均衡を破り、２つの下方に傾斜した傾斜端部１５ａ、傾斜端部１５ｂに沿って、スムーズに水受皿部１０の底面まで、効率良く結露水を落下させることができる。なお、傾斜端部１５ａ、傾斜端部１５ｂの間の角部がフィン部５ｂと接触するので、接触面積が小さく、蒸発器５の振動が、突起部１４を介して水受皿部１０へ伝わり難くできる。
【００２５】
また、突起部１４の先端の少なくとも一部は、包囲壁の上端より上方に設けられる。すなわち、鉛直方向における、包囲壁１３の上端と、フィン部５ｂの下端部との間には、隙間を備え、この隙間には、突起部１４の先端の少なくとも一部を有するものである。これにより、フィン部５ｂの下端部の付着している結露水滴には、包囲壁１３の上端とフィン部５ｂの下端部との間の隙間を流れる送風が当たるので、蒸発器５の下端部に付着している結露水滴の表面張力の均衡を破り、２つの下方に傾斜した傾斜端部１５ａ、傾斜端部１５ｂに沿って、スムーズに水受皿部１０の底面まで、更に効率良く結露水を落下させることができる。なお、包囲壁１３の上端とフィン部５ｂの下端部との間の隙間の寸法は、フィン部５ｂの面とフィン部５ｂの面との寸法より大きいものである。これにより、包囲壁１３の上端とフィン部５ｂの下端部との間の隙間を送風が流れ易くなる。
【００２６】
また、突起部１４の先端の少なくとも一部は、蒸発器５の下端より上方に設けられるものである。すなわち、フィン部５ｂの面とフィン部５ｂの面との間に、フィン部５ｂと接触しながら突起部１４の先端の少なくとも一部が入り込んでいる。これにより、フィン部５ｂの面とフィン部５ｂの面との間の結露水で、下端まで落ちきらない結露水にも突起部１４の先端が接触するので、早く結露水を落下させることができる。
【００２７】
また、蒸発器５は、鉛直方向に伸びた複数の板形状のフィンを有し、突起部１４の先端の端部と、蒸発器５のフィンの下端の端部とは、水平面において所定の角度を有するものである。すなわち、突起部１４の先端の端部と、蒸発器５のフィンの下端の端部とは、水平面において平行ではないので、フィン部５ｂの面とフィン部５ｂの面との間に、隣り合う２枚のフィン部５ｂと接触しながら突起部１４の先端の少なくとも一部が入り込んでいる。これにより、隣り合う２枚のフィン部５ｂの内面の間の結露水が、下端まで落ちきらない結露水にも突起部１４の先端が接触するので、早く結露水を落下させることができると共に、隣り合う２枚のフィン部５ｂの外面から下端に流れ落ちた結露水も結露水滴の表面張力の均衡を破り、更に効率良く結露水を落下させることができる。
【００２８】
また、図５、図６に示すように、突起部１４は包囲壁１３から包囲壁１３内を流れる空気の送風方向の風下側へ傾斜して伸びている。これにより、突起部１４の包囲壁１３内を流れる空気の風上側の面の付着した水滴が、包囲壁１３内を流れる空気の送風方向、つまり突起部１４の風下側の端部へ移動しやすくなり、結果として、突起部１４から水受皿部１０上に落下しやすくなる。
【００２９】
また、水受皿部１０の底面は、傾斜面１９ａ、傾斜面１９ｂを有し、この傾斜面１９ａ、傾斜面１９ｂの上部から下部へ向かう方向と、包囲壁１３内を流れる空気の送風方向とが同じである。これにより、突起部１４の包囲壁１３内を流れる空気の風上側の面の根元に溜まった水滴が、突起部１４と水受皿部１０が接する底面部分で結露水が留まることなく、結露排水口１６からに排水タンク１２に導かれる。
【００３０】
更に、通過風１８が端部通風部１２ｃを通過するときに、水受皿部１０上の結露水を中央方向に押し流す効果と、水受皿部１０の底面の傾斜面１９ａ、傾斜面１９ｂとも所定の角度を有していることで、突起部１４と水受皿部１０が接する底面部分で結露水が留まることなく、傾斜面１９ａ、傾斜面１９ｂに沿ってスムーズに流れ、結露排水口１６からに排水タンク１２に導かれる。
【００３１】
なお、突起部１４の先端の端部には、親水性手段を設けたことを特徴とする。突起部１４の先端の端部に親水性手段を付加することで、更に蒸発器５の下端部に付着している結露水滴の表面張力の均衡を破る効果を高めることができる。親水性手段の１例は、表面に凹凸を設けたものである。
【００３２】
実際に内部乾燥試験を行った結果を次に示すと、室内環境として室温２７度、湿度５０％の約６畳の環境試験室にて、内部乾燥運転を１時間実施し、比較試験物は内部乾燥開始時の蒸発器５に付着している残水量：７２ｇが、終了時の蒸発器５に付着している残水量：２６ｇで、乾燥率は約６４％に対して、発明試験物１（突起部１４の先端の端部に親水性手段付加なし）は内部乾燥開始時の蒸発器５に付着している残水量：７２ｇが、終了時の蒸発器５に付着している残水量：２１ｇで、乾燥率は約７０％となり約９％効率ＵＰし、発明試験物２（突起部１４の先端の端部に親水性手段付加あり）は内部乾燥開始時の蒸発器５に付着している残水量：７２ｇが、終了時の蒸発器５に付着している残水量：１３ｇで、乾燥率は約８２％となり、約２８％効率ＵＰする効果が得られた。
【００３３】
以上説明したように、送風運転時および内部乾燥運転時の結露水供給がなくなった際にも蒸発器５の下端部に付着する結露水滴を効率良く水受皿部に落下させる残水案内手段を備えることで蒸発器５の下端部を乾燥状態にすることができる。
【産業上の利用可能性】
【００３４】
本発明によれば、本体内に設けた圧縮機、蒸発器、凝縮器、キャピラリーチューブからなる冷凍サイクルおよび送風機と、前記キャピラリーチューブに連結された前記蒸発器と前記凝縮器を支持する支持具と、この支持具に設けた前記蒸発器の下部に配置される水受皿部を有し、前記蒸発器の下端部で結露水案内手段として前記水受皿部に包囲壁を設け、この包囲壁は前記蒸発器の両側面で前記水受皿部の上方に支持する一対の支えリブと、前記蒸発器の下方端部に近接して立設する一対の水受けリブとで形成され、残水案内手段として前記包囲壁内の前記水受皿部から上方に伸びた複数の板形状の突起部を有し、この突起部の先端が蒸発器の下端に接触するものである。
【００３５】
これにより、突起部の先端が蒸発器の下端に接触するので、蒸発器の下端部に付着している結露水滴の表面張力の均衡を破り、送風運転のみの内部乾燥運転時の結露水供給がなくなった際にも、蒸発器の下端部に付着する結露水滴を効率良く水受皿部に落下させる残水案内手段を備えることで蒸発器の下端部を乾燥状態にする一体型空気調和機を提供でき、除湿機、エアコンなどの空調機器の用途にも適用できる。
【符号の説明】
【００３６】
１    吸込口
２    吹出口
３    本体
４    圧縮機
５    蒸発器
５ａ  銅管部
５ｂ  フィン部
６    凝縮器
７    キャピラリーチューブ
８    送風機
９    支持具
１０    水受皿部
１１ａ  支えリブ
１１ｂ  支えリブ
１２ａ  水受けリブ
１２ｂ  水受けリブ
１２ｃ  端部通風部
１２ｄ  中央通風部
１３    包囲壁
１４    突起部
１５ａ  傾斜端部
１５ｂ  傾斜端部
１６    結露排水口
１７    予備結露排水口
１８    通過風
１９ａ  傾斜面
１９ｂ  傾斜面
【図１】
2014122716.tif 000003
【図２】
2014122716.tif 000004
【図３】
2014122716.tif 000005
【図４】
2014122716.tif 000006
【図５】
2014122716.tif 000007
【図６】
2014122716.tif 000008